(57)【要約】【課題】枠体に対して障子を開閉可能に支持するアーム部材を備える建具において、縦枠の端部と上枠の端部とが接合された上方側のコーナー部において、防火性能を向上させることができる構造を備える建具を提供すること。【解決手段】枠体１０及び枠体１０の内部に開閉可能に取り付けられる障子２０を備える建具１であって、上枠１１の障子側面１１ｈに連結されると共に框体３０に連結され、枠体１０に対して障子２０を開閉可能に支持するアーム部材６１と、上枠１１の障子２０の戸先側及び吊元側のいずれか一方側に一方の縦枠１４と近接して配置され、アーム部材６１を移動可能に上枠１１の障子側面１１ｈに連結する連結部材６１１と、縦枠１４の端部と上枠１１の端部とが接合された上方側コーナー部１０２のうち、一方側コーナー部１０３における躯体側面１０３ａに配置されるＬ字状の上方側コーナー金具４６１と、を備える。【選択図】図６
2019085825.tif 000002
【特許請求の範囲】
【請求項１】
建物開口部を形成する躯体に沿って設けられる枠体及び前記枠体の内部に開閉可能に取り付けられる障子を備える建具であって、
前記枠体は、樹脂製の一対の縦枠と、前記一対の縦枠に接合される樹脂製の上枠及び下枠と、を有し、
前記障子の外縁を構成する框体と、
前記上枠の前記障子側の面である障子側面に連結されると共に前記框体に連結され、前記枠体に対して前記障子を開閉可能に支持するアーム部材と、
前記上枠の少なくとも前記障子の戸先側及び吊元側のいずれか一方側に前記一対の縦枠のうちの一方の縦枠と近接して配置され、前記アーム部材を移動可能に前記上枠の前記障子側面に連結する連結部材と、
前記一対の縦枠の端部と前記上枠の端部とが接合された上方側コーナー部のうち、前記連結部材に近接して配置される前記一方の縦枠の端部と前記上枠の端部とが接合された一方側コーナー部における前記躯体側の面である躯体側面に配置されるＬ字状の上方側コーナー金具と、を備える建具。
【請求項２】
前記一対の縦枠の端部と前記下枠の端部とが接合された下方側コーナー部における前記障子側の面である障子側面に配置されるＬ字状の下方側コーナー金具を更に備える請求項１に記載の建具。
【請求項３】
前記枠体は、前記枠体の外面において前記縦枠及び前記上枠の長手方向に延びて形成されると共に前記上方側コーナー金具が配置される溝部を有する請求項１又は２に記載の建具。
【請求項４】
前記上方側コーナー金具は、板状に形成され、前記上方側コーナー部において前記縦枠と前記上枠との接合部分から離間するように外方に突出する形状に形成される請求項１〜３のいずれかに記載の建具。
【発明の詳細な説明】
【技術分野】
【０００１】
本発明は、枠体及び枠体に開閉可能に取り付けられる障子を備える建具に関する。
【背景技術】
【０００２】
従来、枠体及び枠体の内部に開閉可能に取り付けられる障子を備える建具が知られている（例えば、特許文献１参照）。特許文献１に記載の建具は、断熱性能を向上させるために枠体等を樹脂で構成し、内部に金属製の芯材を配置することで防火性能を向上させている。枠体の縦枠及び横枠の端面は、長手方向に対して傾斜するように形成され、傾斜した端部を突き合わせて接合することで枠体のコーナー部が形成される。このような建具において、防火性能を向上させるために、コーナー部に金属製のコーナー金具を配置して、枠体の縦枠と横枠とを連結することが提案されている。
【先行技術文献】
【特許文献】
【０００３】
【特許文献１】特開２０１４−２１１０７４号公報
【発明の概要】
【発明が解決しようとする課題】
【０００４】
コーナー部に金属製のコーナー金具を配置する建具においては、コーナー金具を枠体に固定する際に、枠体に固定用のネジ孔を形成する必要がある。そのため、コーナー金具の固定用のネジ孔が枠体の下面に形成されると漏水の虞があるため、ネジ孔からの漏水を考慮して、枠体の下枠では、コーナー金具は、コーナー部の障子側（内側）の内隅に取り付けられることが好ましい。一方、枠体の上枠では、コーナー部の内側（障子側）の内隅に、コーナー金具が取り付けられる場合がある。
【０００５】
ところで、アーム部材によって障子を開閉する建具において、枠体の上枠の下面にアーム部材を移動可能に連結するアーム連結部材が取り付けられ、アーム連結部材が、左右方向の一方側又は他方側の縦枠に近接して配置されることがある。この場合に、アーム連結部材が枠体の上方側の縦枠に近接して取り付けられていると、コーナー金具を枠体の上枠の内側（障子側）の内隅に取り付けることができない。
従って、枠体に対して障子を開閉可能に支持するアーム部材を備える建具において、縦枠及び横枠の端部同士が接合されるコーナー部のうち、縦枠の端部と上枠の端部とが接合された上方側のコーナー部において、防火性能を向上できる構造を備えることが望まれる。
【０００６】
本発明は、枠体に対して障子を開閉可能に支持するアーム部材を備える建具において、縦枠の端部と上枠の端部とが接合された上方側のコーナー部において、防火性能を向上できる構造を備える建具を提供することを目的とする。
【課題を解決するための手段】
【０００７】
本発明は、建物開口部を形成する躯体（例えば、後述の躯体２００）に沿って設けられる枠体（例えば、後述の枠体１０）及び前記枠体の内部に開閉可能に取り付けられる障子（例えば、後述の障子２０）を備える建具（例えば、後述の建具１）であって、前記枠体は、樹脂製の一対の縦枠（例えば、後述の吊元側縦枠１３、戸先側縦枠１４）と、前記一対の縦枠に接合される樹脂製の上枠（例えば、後述の上枠１１）及び下枠（例えば、後述の下枠１２）と、を有し、前記障子の外縁を構成する框体（例えば、後述の框体３０）と、前記上枠の前記障子側の面である障子側面（例えば、後述の障子側面１１ｈ）に連結されると共に前記框体に連結され、前記枠体に対して前記障子を開閉可能に支持するアーム部材（例えば、後述のアーム部材６１）と、前記上枠の少なくとも前記障子の戸先側及び吊元側のいずれか一方側に前記一対の縦枠のうちの一方の縦枠（例えば、後述の戸先側縦枠１４）と近接して配置され、前記アーム部材を移動可能に前記上枠の前記障子側面に連結する連結部材（例えば、後述の枠側アーム連結部材６１１）と、前記一対の縦枠の端部と前記上枠の端部とが接合された上方側コーナー部（例えば、後述の上方側コーナー部１０２）のうち、前記連結部材に近接して配置される前記一方の縦枠の端部と前記上枠の端部とが接合された一方側コーナー部（例えば、後述の上方側一方側コーナー部１０３）における前記躯体側の面である躯体側面（例えば、後述の躯体側面１０３ａ）に配置されるＬ字状の上方側コーナー金具（例えば、後述の上方側枠側コーナー金具４６１）と、を備える建具に関する。
【０００８】
また、前記一対の縦枠の端部と前記下枠の端部とが接合された下方側コーナー部における前記障子側の面である障子側面に配置されるＬ字状の下方側コーナー金具（例えば、後述の下方側枠側コーナー金具４６２）を更に備えることが好ましい。
【０００９】
また、前記枠体は、前記枠体の外面において前記縦枠及び前記上枠の長手方向に延びて形成されると共に前記上方側コーナー金具が配置される溝部（例えば、後述の外側溝１０８）を有することが好ましい。
【００１０】
また、前記上方側コーナー金具は、板状に形成され、前記上方側コーナー部において前記縦枠と前記上枠との接合部分から離間するように外方に突出する形状に形成されることが好ましい。
【発明の効果】
【００１１】
本発明によれば、枠体に対して障子を開閉可能に支持するアーム部材を備える建具において、縦枠の端部と上枠の端部とが接合された上方側のコーナー部において、防火性能を向上させることができる構造を備える建具を提供することができる。
【図面の簡単な説明】
【００１２】
【図１】本発明の一実施形態に係る建具を室外側から見た様子を示す図である。
【図２】本実施形態の建具の縦断面図である。
【図３】本実施形態の建具の横断面図である。
【図４】本実施形態の建具が備えるアーム部材及びその周囲を示す縦断面図である。
【図５】本実施形態の建具が備えるアーム部材を下方側から見た斜視図である。
【図６】本実施形態の建具が備える上方側枠側コーナー金具及びアーム部材を示す斜視図である。
【図７】本実施形態の建具が備える上方側枠側コーナー金具を枠体から取り外した状態を示す斜視図である。
【図８】本実施形態の建具が備える上方側枠側コーナー金具の取り付け状態を示す断面図である。
【図９】本実施形態の建具が備える下方側枠側コーナー金具を示す斜視図である。
【図１０】本実施形態の建具が備える下方側枠側コーナー金具の取り付け状態を示す断面図である。
【発明を実施するための形態】
【００１３】
以下、本発明の好ましい実施形態について、図面を参照しながら説明する。なお、本明細書において、「見付方向」とは、建物に形成された開口部に納められた建具の枠体に収められる障子の面内方向を意味し、「見込方向」とは、室内外方向（即ち、奥行き方向）を意味する。
【００１４】
図１は、本発明の一実施形態に係る建具１を室外側から見た様子を示す図である。図１に示す建具１は、建物開口部を形成する躯体２００沿って設けられ建物開口部に固定される枠体１０と、枠体１０の内部に複数のヒンジ１５を介して開閉可能に取り付けられる外開きの障子２０と、を備える防火仕様の勝手口ドアである。建物開口部は、躯体２００（例えば、梁部材、柱部材、床部材などの建物構造物）により囲まれて形成される。
【００１５】
まず、枠体１０の構成について説明する。枠体１０は、上枠１１、下枠１２、吊元側縦枠１３及び戸先側縦枠１４（一対の縦枠）が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１６】
図２は、本実施形態の建具１の縦断面図である。上枠１１の内部は、複数の空間に区画されている。上枠１１内部の複数の空間のうち、見込方向に並ぶ空間を室外側から室内側の順に中空部１１ａ，１１ｂ，１１ｃとすると、見込方向中央に位置する中空部１１ｂに金属製の上枠芯材１１０が配置される。また、上枠１１の室内側下部には、下方に延びる延出部１１ｅが形成され、延出部１１ｅの室外側の見付面にはクッション材１１ｇを嵌合固定する嵌合部１１ｆが設けられる。
【００１７】
本実施形態の上枠芯材１１０は、断面形状が略Ｕ字状の長尺部材であり、Ｕ字の開口側が室内側を向くように中空部１１ｂに配置される。上枠芯材１１０の下面と中空部１１ｂの内壁の間には帯状の加熱発泡材９０ａが配置される。加熱発泡材９０ａは、火災等によって所定の温度に達すると発泡して隙間を塞ぐものである。
【００１８】
下枠１２の内部も、上枠１１と同様に複数の空間に区画されている。下枠１２内部で見込方向に並ぶ空間を室外側から室内側の順に中空部１２ａ，１２ｂ，１２ｃとすると、見込方向中央に位置する中空部１２ｂに金属製の下枠芯材１２０が配置される。本実施形態の下枠芯材１２０は、角筒状の長尺部材である。また、下枠１２の室内側上部には、上方に延びる延出部１２ｅが形成され、該延出部１２ｅにもクッション材１２ｇを嵌合固定する嵌合部１２ｆが形成される。
【００１９】
図３は、本実施形態の建具１の横断面図である。吊元側縦枠１３も、その内部が複数の空間に区画されている。吊元側縦枠１３内部の複数の空間のうち、見込方向に並ぶ空間を室外側から室内側の順に中空部１３ａ，１３ｂ，１３ｃとすると、見込方向中央に位置する中空部１３ｂに金属製の縦枠芯材１３０が配置される。吊元側縦枠１３の室内側には見付方向戸先側に延びる延出部１３ｅが形成され、該延出部１３ｅにクッション材１３ｇを嵌合固定する嵌合部１３ｆが設けられる。
【００２０】
本実施形態の縦枠芯材１３０は、断面形状が略Ｕ字状の長尺部材であり、Ｕ字の開口側が室内側を向くように中空部１３ｂに配置される。縦枠芯材１３０の戸先側の面と中空部１３ｂの内壁の間には帯状の加熱発泡材９０ｂが配置される。
【００２１】
また、枠体１０の吊元側縦枠１３と障子２０の吊元側縦框３３の間には、上下方向に間隔をあけて複数のヒンジ１５が配置される（図１参照）。中空部１３ａには、ヒンジ１５を固定するネジ１３ｉを締結する裏板部材１３ｈが配置される。本実施形態では、ヒンジ１５を締結するネジ１３ｉは、裏板部材１３ｈを貫通して中空部１３ｂの縦枠芯材１３０まで達しており、ヒンジ１５は縦枠芯材１３０にも締結固定される。
【００２２】
戸先側縦枠１４の内部も、複数の空間に区画されている。複数の空間のうち、見込方向で並ぶ空間を室外側から室内側の順に中空部１４ａ，１４ｂ，１４ｃとすると、見込方向中央に位置する中空部１４ｂに金属製の縦枠芯材１４０が配置される。本実施形態の縦枠芯材１４０は、断面形状が略Ｕ字状の長尺部材であり、Ｕ字の開口側が室内側を向くように中空部１４ｂに配置される。縦枠芯材１４０の吊元側の面と中空部１４ｂの内壁の間には帯状の加熱発泡材９０ｃが配置される。戸先側縦枠１４の室内側にも見付方向吊元側に延びる延出部１４ｅが形成され、該延出部１４ｅにクッション材１４ｇを嵌合固定する嵌合部１４ｆが設けられる。
【００２３】
また、戸先側縦枠１４の吊元側を向く見込面には、後述する障子２０のロックピン５２が嵌合するロックピン受け金具１６が固定される。ロックピン受け金具１６は、上下方向に間隔をあけて複数設けられる。本実施形態のロックピン受け金具１６は、締結部材としてのネジを介して縦枠芯材１４０に締結固定される。
【００２４】
枠体１０の左上及び右上には、枠側コーナー金具４６がそれぞれ配置される。枠側コーナー金具４６は、Ｌ字状の金属部材であり、枠体１０の外側に配置される。枠側コーナー金具４６は締結部材としてのネジによって枠体１０の内側の芯材に締結固定される。本実施形態では、枠体１０の戸先側上部では上枠芯材１１０と縦枠芯材１４０が枠側コーナー金具４６によって連結され、吊元側上部では上枠芯材１１０と縦枠芯材１３０が連結される。
【００２５】
次に、障子２０の構成について説明する。障子２０は、ガラス２５と、ガラス２５を囲うように構成される框体３０と、を含むように構成される戸体である。
【００２６】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。本実施形態では、室外側ガラス２５ａは網入ガラスで構成され、室内側ガラスはＬｏｗ−Ｅ（Ｌｏｗ  Ｅｍｉｓｓｉｖｉｔｙ）ガラスで構成される。
【００２７】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２８】
上框３１の内部は、複数の空間に区画されている。上框３１内部の複数の空間のうち、見込方向に並ぶ空間を室外側から室内側の順に中空部３１ａ，３１ｂ，３１ｃとすると、見込方向中央に位置する中空部３１ｂに金属製の上框芯材３１０が配置される。
【００２９】
本実施形態の上框芯材３１０は、断面形状が略Ｕ字状の長尺部材であり、Ｕ字の開口側が室内側を向くように中空部３１ｂに配置される。上框芯材３１０の下面と中空部３１ｂの内壁の間には帯状の加熱発泡材９０ｄが配置される。また、上框芯材３１０のＵ字の内側における室内側を向く面にも帯状の加熱発泡材９０ｅが配置される。
【００３０】
上框３１の室外側上部には、上枠１１の一部に見込方向で対面する延出部３１ｆが形成される。この延出部３１ｆの上枠１１に対面する側には、クッション材３１ｇを嵌合固定する嵌合部３１ｈが設けられる。延出部３１ｆの内側に形成される中空部３１ｉには金属（例えば、スチール）製の室外側芯材３１２が配置される。
【００３１】
本実施形態の室外側芯材３１２は、断面形状が略Ｕ字状の長尺部材であり、Ｕ字の開口側が室外側を向くように中空部３１ｉに配置される。また、室外側芯材３１２の室内側の面と中空部３１ｉの内壁の間には帯状の加熱発泡材９０ｆが配置される。
【００３２】
また、上框３１の外側面には、上框３１の長手方向に沿って延びる嵌合溝３１ｊが形成される。嵌合溝３１ｊには、金属（例えば、アルミニウム材）製の台座部３１５が嵌合固定される。上框３１の嵌合溝３１ｊの室内側に位置する中空部３１ｋには室内側芯材３１３が配置される。上框３１の室外側下部には押し縁部材３６を嵌合する嵌合部３１ｍが設けられ、上框３１の室内側下部にはガラス止め部材３７を嵌合する嵌合部３１ｎが設けられる。
【００３３】
下框３２、吊元側縦框３３及び戸先側縦框３４の基本的構成は上框３１と同様である。以下の説明において上框３１と同様の構成については共通の規則性（アルファベット）で符号を付してその説明を省略する場合がある。
【００３４】
下框３２は、見込方向に並ぶ複数の中空部３２ａ，３２ｂ，３２ｃのうち、見込方向中央に位置する中空部３２ｂに下框芯材３２０が配置される。下框芯材３２０は金属によって筒状に成形される。下框３２の室外側下部には延出部３２ｆが形成され、該延出部３２ｆの室内側にはクッション材３２ｇを嵌合固定する嵌合部３２ｈが設けられる。延出部３２ｆの上方には樹脂製の押し縁部材３６用の嵌合部３２ｍが設けられる。下框３２の室内側上部にはガラス止め部材３７用の嵌合部３２ｎが設けられる。
【００３５】
下框３２の下面に形成される嵌合溝３２ｊには、樹脂製の下がり止め部材３８が配置される。樹脂製の下がり止め部材３８は、通常使用時の障子２０の下がりを防止するためのものであり、その下部が室内側から室外側に向かうにつれて下側に近づくように傾斜した形状で成形される。また、火災発生時の障子２０の下がりを防止するため、下框３２には樹脂製の下がり止め部材３８とは別部材として金属製の下がり止め部材３９が設けられる。
【００３６】
吊元側縦框３３は、見込方向に並ぶ複数の中空部３３ａ，３３ｂ，３３ｃのうち、見込方向中央に位置する中空部３３ｂに縦框芯材３３０が配置される。本実施形態の縦框芯材３３０は、断面形状が略Ｕ字状の長尺部材であり、Ｕ字の開口側が室内側を向くように中空部３３ｂに配置される。縦框芯材３３０の吊元側縦枠１３側の面と中空部３３ｂの内壁の間には帯状の加熱発泡材９０ｇが配置される。また、縦框芯材３３０のＵ字の内側における室内側を向く面にも帯状の加熱発泡材９０ｈが配置される。
【００３７】
吊元側縦框３３には吊元側縦枠１３側に延出する延出部３３ｆが形成される。延出部３３ｆの室内側にはクッション材３３ｇを嵌合固定する嵌合部３３ｈが設けられる。また、延出部３３ｆの内側には中空部３３ｉが形成される。吊元側縦框３３の吊元側の面に形成される嵌合溝３３ｊには、台座部３１５が嵌合固定される。また、吊元側縦框３３における台座部３１５の室内側に位置する中空部３３ｋには金属（例えば、スチール）製の室内側芯材３１３が配置される。吊元側縦框３３の室外側の戸先側には押し縁部材３６用の嵌合部３３ｍが設けられ、室内側の戸先側にはガラス止め部材３７用の嵌合部３３ｎが設けられる。
【００３８】
戸先側縦框３４は、見込方向に並ぶ複数の中空部３４ａ，３４ｂ，３４ｃのうち、見込方向中央に位置する中空部３４ｂに縦框芯材３４０が配置される。本実施形態の縦框芯材３４０は、断面形状が略Ｕ字状の長尺部材であり、Ｕ字の開口側が戸先側縦枠１４の見込面を向くように中空部３４ｂに配置される。縦框芯材３４０のＵ字の内側における戸先側縦枠１４側を向く面には帯状の加熱発泡材９０ｉが配置される。
【００３９】
戸先側縦框３４には戸先側縦枠１４側に延出する延出部３４ｆが形成される。延出部３４ｆの室内側にはクッション材３４ｇを嵌合固定する嵌合部３４ｈが設けられる。延出部３４ｆの内側に形成される中空部３４ｉには室外側芯材３１２が配置される。また、室外側芯材３１２の室内側の面と中空部３４ｉの内壁の間には帯状の加熱発泡材９０ｊが配置される。戸先側縦框３４の室外側の吊元側には押し縁部材３６用の嵌合部３４ｍが設けられ、室外側の吊元側にはガラス止め部材３７用の嵌合部３４ｎが設けられる。
【００４０】
戸先側縦框３４の戸先側面に形成される嵌合溝３４ｊにはスライドプレート５１が嵌合される。スライドプレート５１は、室外側ハンドル５５及び室内側ハンドル５６の操作に連動して戸先側縦框３４の長手方向（上下方向）に移動可能に構成される。スライドプレート５１の戸先側の見込面にはロックピン５２が形成されており、ロックピン５２が戸先側縦枠１４に固定されるロックピン受け金具１６に係合することで、障子２０が閉鎖位置で固定される。
【００４１】
框体３０の内側（ガラス２５側）の見込面にはガラス外れ止め部材４０及び加熱発泡材９１が配置される。ガラス外れ止め部材４０は、框体３０を構成する上框３１、下框３２、吊元側縦框３３及び戸先側縦框３４の見込面のそれぞれに複数配置され、室外側へのガラス２５の外れを防止する金属製部材である。
【００４２】
本実施形態のガラス外れ止め部材４０は、締結部材としてのネジによって框体３０の内側の芯材（上框芯材３１０、下框芯材３２０、縦框芯材３３０及び縦框芯材３４０）に締結固定される。加熱発泡材９１は、帯状の部材であり、ガラス２５の４周を囲うように上框３１、下框３２、吊元側縦框３３及び戸先側縦框３４のそれぞれに配置される。
【００４３】
また、框体３０の内側のコーナー（内隅）には框側コーナー金具６５がそれぞれ配置される。框側コーナー金具６５は、締結部材としてのネジによって框体３０の内側の芯材（上框芯材３１０、下框芯材３２０、縦框芯材３３０及び縦框芯材３４０）に締結固定される。より具体的には、框体３０の戸先側上部では、上框芯材３１０と縦框芯材３４０が框側コーナー金具６５によって連結され、吊元側上部では、上框芯材３１０と縦框芯材３３０が框側コーナー金具６５によって連結される。框体３０の戸先側下部では、下框芯材３２０と縦框芯材３４０が框側コーナー金具６５によって連結され、吊元側下部では、下框芯材３２０と縦框芯材３３０が框側コーナー金具６５によって連結される。
【００４４】
また、枠体１０に開閉可能に吊り込まれる障子２０は、上枠１１と上框３１を接続するアーム部材６１によって所定以上開かないように開閉範囲が規制される。
【００４５】
次に、アーム部材６１及び枠側コーナー金具４６の構成について説明する。
図４は、本実施形態の建具１が備えるアーム部材６１及びその周囲を示す縦断面図である。図５は、本実施形態の建具１が備えるアーム部材６１を下方側から見た斜視図である。図６は、本実施形態の建具１が備える上方側枠側コーナー金具４６１及びアーム部材６１を示す斜視図である。図７は、本実施形態の建具１が備える上方側枠側コーナー金具４６１を枠体１０から取り外した状態を示す斜視図である。図８は、本実施形態の建具１が備える上方側枠側コーナー金具４６１の取り付け状態を示す断面図である。図９は、本実施形態の建具１が備える下方側枠側コーナー金具４６２を示す斜視図である。図１０は、本実施形態の建具１が備える下方側枠側コーナー金具４６２の取り付け状態を示す断面図である。
【００４６】
アーム部材６１は、枠体１０に対して障子２０を開閉可能に支持する。アーム部材６１は、図４〜図６に示すように、枠側アーム連結部材６１１（連結部材）と、框側アーム連結部材６１２と、規制バー６１３と、を備える。アーム部材６１は、枠側アーム連結部材６１１を介して、上枠１１の障子側面１１ｈに連結される。上枠１１の障子側面１１ｈは、上枠１１における障子２０側の面であり、上枠１１における障子２０と対向する面である。また、上枠１１の障子側面１１ｈは、上枠１１の下面でもある。
【００４７】
枠側アーム連結部材６１１は、上枠１１の障子側面１１ｈに取り付けられる。枠側アーム連結部材６１１は、アーム部材６１を移動可能に上枠１１の障子側面１１ｈに連結する。枠側アーム連結部材６１１は、上枠１１の長手方向に沿って延びる。枠側アーム連結部材６１１は、左右方向において、枠体１０の上方側の内側における障子２０の戸先側に寄って配置されており、障子２０の戸先側の戸先側縦枠１４に近接して配置される。本実施形態では、「枠側アーム連結部材６１１が戸先側縦枠１４に近接して配置される」とは、戸先側縦枠１４と枠側アーム連結部材６１１との間にコーナー金具を配置できない程度に、戸先側縦枠１４と枠側アーム連結部材６１１とが近い位置に配置されることを意味する。枠側アーム連結部材６１１は、長手方向に沿って形成されるスライド溝６１１ａを有する。
【００４８】
枠側アーム連結部材６１１は、上枠１１の下面に配置された状態で、長手方向の両端部において、上枠１１の下面から、中空部１１ｂに配置された上枠芯材１１０（図２参照）にネジ６１１ｂにより締結固定される。上枠芯材１１０は、金属製であり、予め形成された締結孔を通じてネジ６１１ｂが締結される。
【００４９】
框側アーム連結部材６１２は、障子２０の外縁を構成する框体３０の上框３１の上面に配置される。框側アーム連結部材６１２は、ネジ等の締結部材６１２ａによって、上框３１の中空部３１ｂに配置された上框芯材３１０（図２参照）に締結固定される。
【００５０】
規制バー６１３は、障子２０の開閉範囲を規制する部材であり、１枚の長尺状の板材から構成される。規制バー６１３における枠体１０側の一端部６１３ａは、枠側アーム連結部材６１１のスライド溝６１１ａに沿ってスライド移動可能に、ネジ６１３ｃによって、枠側アーム連結部材６１１のスライド溝６１１ａに連結される。規制バー６１３における框体３０側の他端部６１３ｂは、ネジ６１３ｄによって、回動可能に框側アーム連結部材６１２に連結される。
【００５１】
図６に示すように、上記説明した金属製の枠側コーナー金具４６は、枠体１０のコーナー部１０１に取り付けられる。コーナー部１０１は、上下方向に延びる一対の縦枠（吊元側縦枠１３、戸先側縦枠１４）及び左右方向に延びて縦枠に接合される一対の横枠（上枠１１、下枠１２）の端部同士を接合する角及びその周辺部である。本実施形態においては、コーナー部１０１は、縦枠（吊元側縦枠１３、戸先側縦枠１４）の端面及び横枠（上枠１１、下枠１２）の端面を長手方向に対して傾斜させて形成し、傾斜した縦枠（吊元側縦枠１３、戸先側縦枠１４）の端面及び傾斜した横枠（上枠１１、下枠１２）の端面を突き合わせて接合することで構成される。
【００５２】
本実施形態においては、図５に示すように、枠体１０のコーナー部１０１について、上方側の左右のコーナー部を上方側コーナー部１０２といい、下方側の左右のコーナー部を下方側コーナー部１０５という。また、左右の上方側コーナー部１０２のうちの枠側アーム連結部材６１１に近接する上方側コーナー部を上方側一方側コーナー部１０３といい、左右の上方側コーナー部１０２のうちの枠側アーム連結部材６１１から離間して配置される上方側コーナー部を上方側他方側コーナー部１０４という。本実施形態においては、上方側一方側コーナー部１０３は、上方側コーナー部１０２のうち、戸先側縦枠１４側（図５における右側）に設けられるコーナー部である。上方側他方側コーナー部１０４は、上方側コーナー部１０２のうち、吊元側縦枠１３側（図５における左側）に設けられるコーナー部である。また、「枠側アーム連結部材６１１に近接する上方側コーナー部１０２」とは、枠側アーム連結部材６１１と上方側コーナー部１０２との間にコーナー金具を配置できない程度に、枠側アーム連結部材６１１と近い位置に配置されている上方側コーナー部１０２を意味する。
【００５３】
また、上方側一方側コーナー部１０３において、図５に示すように、躯体２００側の面を躯体側面１０３ａ（外側面）といい、躯体２００側と反対側の面を障子側面１０３ｂ（内側面）という。上方側一方側コーナー部１０３の躯体側面１０３ａは、上方側一方側コーナー部１０３における躯体２００と対向する面であり、上方側一方側コーナー部１０３を構成する枠体１０の外周側の面である。上方側一方側コーナー部１０３の障子側面１０３ｂは、上方側一方側コーナー部１０３における障子２０と対向する面であり、上方側一方側コーナー部１０３を構成する枠体１０の内周側の面である。
【００５４】
また、上方側他方側コーナー部１０４において、図５に示すように、躯体２００側の面を躯体側面１０４ａといい、躯体２００側と反対側の面を障子側面１０４ｂ（内側面）という。上方側他方側コーナー部１０４の躯体側面１０４ａ（外側面）は、上方側他方側コーナー部１０４における躯体２００と対向する面であり、上方側他方側コーナー部１０４を構成する枠体１０の外周側の面である。上方側他方側コーナー部１０４の障子側面１０４ｂは、上方側他方側コーナー部１０４における障子２０と対向する面であり、上方側他方側コーナー部１０４を構成する枠体１０の内周側の面である。
【００５５】
枠側コーナー金具４６は、Ｌ字状に形成され、枠体１０の左右の上方側の外側に配置される上方側枠側コーナー金具４６１（上方側コーナー金具）と、枠体１０の左右の下方側の内側に配置される下方側枠側コーナー金具４６２（下方側コーナー金具）（図９参照）と、を有する。枠側コーナー金具４６は、上下方向に延びる一対の縦枠（吊元側縦枠１３及び戸先側縦枠１４）及び左右方向に延びて縦枠に接合される一対の横枠（上枠１１及び下枠１２）の接続部分において接合状態を補強する。
【００５６】
上方側枠側コーナー金具４６１について説明する。
上方側枠側コーナー金具４６１は、図６に示すように、枠体１０の上方側の外側の左右の上方側コーナー部１０２に配置される。具体的には、上方側枠側コーナー金具４６１は、上方側一方側コーナー部１０３の躯体側面１０３ａ（外周面）と、上方側他方側コーナー部１０４の躯体側面１０４ａ（外周面）と、に配置される。特に、本発明では、上方側枠側コーナー金具４６１を、上方側一方側コーナー部１０３の躯体側面１０３ａ（外周面）に配置することができる。
【００５７】
本実施形態においては、図５に示すように、上記のように、枠側アーム連結部材６１１は、上枠１１の障子側面１１ｈ（下面）に取り付けられ、左右方向において、枠体１０の上方側の内側における障子２０の戸先側縦枠１４に近接して配置される。そのため、枠体１０の上方側の上方側一方側コーナー部１０３における躯体２００とは反対側の障子側面１０３ｂにおいて、戸先側縦枠１４に近接した位置には、アーム部材６１の枠側アーム連結部材６１１が配置されている。よって、枠体１０の上方側一方側コーナー部１０３の障子側面１０３ｂ（内側面）には、上方側枠側コーナー金具４６１を取り付けることができない。これに対して、本発明では、上方側一方側コーナー部１０３の躯体側面１０３ａ（外周面）に、上方側枠側コーナー金具４６１を取り付け可能である。
【００５８】
上方側枠側コーナー金具４６１は、枠体１０の室内側の部分において、枠体１０の外側溝１０８（溝部）に配置される。枠体１０の外側溝１０８は、枠体１０の室内側の部分において、上方側コーナー部１０２の躯体側面１０３ａ，１０４ａからＵ字状に窪んで形成され、上枠１１、吊元側縦枠１３及び戸先側縦枠１４の長手方向に沿って延びる。
【００５９】
上方側枠側コーナー金具４６１は、図７に示すように、Ｌ字状の金属部材により板状に形成され、上枠１１、吊元側縦枠１３及び戸先側縦枠１４の外側溝１０８が延びる方向に沿って延びる。上方側枠側コーナー金具４６１は、外側溝１０８におけるＵ字状の窪みから外側に飛び出ないように外側溝１０８に配置されるとともに、上方側コーナー部１０２において縦枠（吊元側縦枠１３及び戸先側縦枠１４）と上枠１１との接合部分から離間するように外方に突出する形状に形成される。
【００６０】
上方側枠側コーナー金具４６１は、図８に示すように、締結部材としてのネジ１０９ａによって枠体１０の内側の芯材（上枠芯材１１０、縦枠芯材１３０及び縦枠芯材１４０）に締結固定される。より具体的には、枠体１０の戸先側上部では、上枠芯材１１０と縦枠芯材１４０が上方側枠側コーナー金具４６１によって連結され、吊元側上部では、上枠芯材１１０と縦枠芯材１３０が上方側枠側コーナー金具４６１によって連結される。
【００６１】
上方側枠側コーナー金具４６１は、図７及び図８に示すように、両端部側に配置される端部側取付延在板４６１ａと、端部側取付延在板４６１ａの間に配置される中間Ｌ字状突出板４６１ｂと、を有する。上方側枠側コーナー金具４６１は、端部側取付延在板４６１ａ、中間Ｌ字状突出板４６１ｂ、端部側取付延在板４６１ａの順に連続して接続される。
【００６２】
中間Ｌ字状突出板４６１ｂは、Ｌ字状の退避Ｌ字状板４６１ｃと、退避Ｌ字状板の両端部に配置される接続傾斜板４６１ｄと、を有する。中間Ｌ字状突出板４６１ｂは、接続傾斜板４６１ｄ、退避Ｌ字状板４６１ｃ、接続傾斜板４６１ｄの順に接続される。
【００６３】
退避Ｌ字状板４６１ｃは、上方側外側コーナー部１０１ｂにおける縦枠（吊元側縦枠１３及び戸先側縦枠１４）と上枠１１との接合部分から外方に離間した位置において、上方側外側コーナー部１０１ｂのＬ字に沿って配置される。退避Ｌ字状板４６１ｃの見付方向の幅は、端部側取付延在板４６１ａの見付方向の幅よりも小さく形成される。
【００６４】
接続傾斜板４６１ｄは、端部側取付延在板４６１ａの上方側外側コーナー部１０１ｂ側の端部と退避Ｌ字状板４６１ｃの端部とを接続する。接続傾斜板４６１ｄは、端部側取付延在板４６１ａの上方側コーナー部１０２側の端部から退避Ｌ字状板４６１ｃの端部に向かうに従って、外側溝１０８の底面から外方に離間するように傾斜する。接続傾斜板４６１ｄの見込方向の幅は、端部側取付延在板４６１ａの上方側外側コーナー部１０１ｂ側の端部から退避Ｌ字状板４６１ｃの端部に向かうに従って、広くなるように形成される。
【００６５】
下方側枠側コーナー金具４６２について説明する。
図９及び図１０に示すように、下方側枠側コーナー金具４６２は、それぞれ、枠体１０の下方側コーナー部１０５の内側の障子側面１０５ａ（内側面）に配置される。下方側コーナー部１０５の障子側面１０５ａは、下方側コーナー部１０５における障子２０と対向する面であり、下方側コーナー部１０５を構成する枠体１０の内周側の面である。本実施形態においては、下方側枠側コーナー金具４６２は、下方側コーナー部１０５の躯体側面１０５ｂ（外周面）には配置されない。下方側コーナー部１０５の躯体側面１０５ｂは、下方側コーナー部１０５における躯体２００と対向する面であり、下方側コーナー部１０５を構成する枠体１０の外周側の面である。本実施形態においては、コーナー金具の固定用のネジ孔が枠体の下面に形成されると漏水の虞があるため、ネジ孔からの漏水を考慮して、下方側枠側コーナー金具４６２は、枠体１０の下方側コーナー部１０５の障子側面１０５ａに取り付けられる。
【００６６】
下方側枠側コーナー金具４６２は、図１０に示すように、Ｌ字状の金属部材であり、下方側コーナー部１０５の障子側面１０５ａに沿って配置される。左右の下方側枠側コーナー金具４６２は、左右対称で、同一形状である。下方側枠側コーナー金具４６２は、締結部材としてのネジ１０９ｂによって枠体１０の内側の芯材（下枠芯材１２０、縦枠芯材１３０及び縦枠芯材１４０）に締結固定される。より具体的には、枠体１０の戸先側下部では、下枠芯材１２０と縦枠芯材１４０が下方側枠側コーナー金具４６２によって連結され、吊元側下部では、下枠芯材１２０と縦枠芯材１３０が下方側枠側コーナー金具４６２によって連結される。
【００６７】
以上説明した上記実施形態の構成によれば、以下のような効果を奏する。
建具１は、枠体１０及び枠体１０の内部に開閉可能に取り付けられる障子２０を備え、上枠１１の障子側面１１ｈに連結されると共に框体３０に連結され、枠体１０に対して障子２０を開閉可能に支持するアーム部材６１と、上枠１１の障子２０の戸先側に戸先側縦枠１４と近接して配置され、アーム部材６１を移動可能に上枠１１の障子側面１１ｈに枠体１０に連結する枠側アーム連結部材６１１と、縦枠１４の端部と上枠１１の端部とが接合された上方側コーナー部１０２のうち、一方側コーナー部１０３における躯体側面１０３ａに配置されるＬ字状の上方側枠側コーナー金具４６１と、を備える。
【００６８】
これにより、アーム部材６１を上枠１１の障子側面１１ｈに連結する枠側アーム連結部材６１１が上枠１１の障子２０の戸先側に戸先側縦枠１４と近接して配置されていても、上方側枠側コーナー金具４６１を、上方側一方側コーナー部１０３の躯体側面１０３ａに配置することができる。よって、枠体１０の上方側において、防火性能を向上させることができる。
【００６９】
また、本実施形態では、枠体１０における下方側コーナー部１０５の障子側面１０５ａに配置されるＬ字状の下方側枠側コーナー金具４６２を更に備える。これにより、下方側枠側コーナー金具４６２を、下方側コーナー部１０５の障子側面１０５ａに配置することで、枠体１０の下方側において、防火性能を向上させることができる。また、下方側枠側コーナー金具４６２を、下枠１２の上面に連結できるため、下方側枠側コーナー金具４６２を連結するためのネジ孔は、下枠１２の下面に形成されない。これにより、下枠１２からの漏水を低減でき、水密性を向上できる。
【００７０】
また、本実施形態では、枠体１０は、枠体１０の外面において、縦枠（吊元側縦枠１３、戸先側縦枠１４）及び上枠１１の長手方向に延びて形成されると共に上方側枠側コーナー金具４６１が配置される外側溝１０８を有する。
【００７１】
そのため、上方側枠側コーナー金具４６１を外側溝１０８に配置できるため、上方側枠側コーナー金具４６１を枠体１０の外側に取り付けても、上方側枠側コーナー金具４６１は、上方側枠側コーナー金具４６１が外側溝１０８から外側に突出しない。これにより、上方側枠側コーナー金具４６１は、枠体１０を躯体２００（図２参照）に取り付ける際に躯体２００と干渉しないため邪魔にならない。また、上方側枠側コーナー金具４６１が外側溝１０８に収まっており、外観上もスッキリするため、意匠性を向上できる。また、上方側枠側コーナー金具４６１を外側溝１０８に配置するだけで、上方側枠側コーナー金具４６１を上方側外側コーナー部１０１ｂに容易に取り付けることができる。
【００７２】
また、本実施形態では、上方側枠側コーナー金具４６１は、板状に形成され、上方側コーナー部１０２において縦枠（吊元側縦枠１３、戸先側縦枠１４）と上枠１１との接合部分から離間するように外方に突出する形状に形成される。これにより、上枠１１と吊元側縦枠１３との接合部分又は上枠１１と戸先側縦枠１４との接合部分において、上方側枠側コーナー金具４６１を、上枠１１と吊元側縦枠１３との接合部分又は上枠１１と戸先側縦枠１４との接合部分に生じたバリを避けた状態で取り付けることができる。
【００７３】
以上、本発明の好ましい実施形態について説明したが、本発明は、上述の実施形態や変形例に制限されるものではなく、適宜変更が可能である。
例えば、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。
【００７４】
上記実施形態では、勝手口ドアを本発明の建具の一例として説明したがこの構成に限定されるわけではなく、スイング式の開閉ドアや開閉窓等、障子を開閉する構成を備える種々の建具に本発明を適用することができる。
【００７５】
また、上記実施形態では、アーム部材６１を枠体１０に連結する枠側アーム連結部材６１１が、障子２０の戸先側の戸先側縦枠１４に近接して配置される場合について説明したが、これに限定されない。枠側アーム連結部材６１１が、障子２０の吊元側の吊元側縦枠１３に近接して配置されていてもよいし、枠側アーム連結部材６１１が、上枠１１の下面の長手方向の全域に配置されることで、障子２０の戸先側縦枠１４及び吊元側縦枠１３の両方に近接して配置されていてもよい。
【符号の説明】
【００７６】
１  建具
１０  枠体
１１  上枠（横枠）
１１ｈ  障子側面
１２  下枠（横枠）
１３  吊元側縦枠（縦枠）
１４  戸先側縦枠（縦枠）
２０  障子
３０  框体
６１  アーム部材
１０１  コーナー部
１０２  上方側コーナー部
１０３  上方側一方側コーナー部（一方側コーナー部）
１０３ａ  躯体側面
１０５  下方側コーナー部
１０５ａ  障子側面
１０８  外側溝（溝部）
４６１  上方側枠側コーナー金具（上方側コーナー金具）
４６２  下方側枠側コーナー金具（下方側コーナー金具）
６１１  枠側アーム連結部材（連結部材）
【図１】
2019085825.tif 000003
【図２】
2019085825.tif 000004
【図３】
2019085825.tif 000005
【図４】
2019085825.tif 000006
【図５】
2019085825.tif 000007
【図６】
2019085825.tif 000008
【図７】
2019085825.tif 000009
【図８】
2019085825.tif 000010
【図９】
2019085825.tif 000011
【図１０】
2019085825.tif 000012